(57)【特許請求の範囲】
【請求項１】
後端側がホース接続部分で先端側が差込み部となり、この差込み部の外周に環状の係合溝が設けられた円筒状の差込み部材と、
後端側がホース接続部分で先端側に前記差込み部材の先端側差込み部を内部に挿入する内径のソケット部が設けられた円筒状の受け部材とからなり、
前記受け部材のソケット部の外側に、内部が環状の空間となるケース部と、このケース部の内部に対して出没できるよう軸方向に移動可能となるよう外嵌する操作リングを設け、
前記ケース部の内部に、前記ソケット部の外周に外接する内径を有する弧状となり、周方向の複数箇所で分割することにより、径方向に沿って集合と拡散の移動が可能となるよう収納され、スプリングによって常時集合する方向の弾性が付勢された複数の分割リングを組込み、
前記分割リングに、前記ソケット部のケース部で覆われた部分に設けた半径方向の貫通孔に収まり、分割リングの集合状態でソケット部の内側に突出し、このソケット部に挿入した差込み部材の係合溝に対して抜止め状態に係合し、分割リングの拡散状態で貫通孔内に没入して係合溝との係合を解く係止爪を設け、
前記分割リングの内周で操作リングに臨む側の位置に、ケース部の内部に押し込まれた操作リングによって、この分割リングを押し広げによる拡散状態にするための傾斜面を設けたホース継手。
【発明の詳細な説明】
【技術分野】
【０００１】
この発明は、例えば、消防用のホースを互いに接続するために用いるホース継手に関する。
【背景技術】
【０００２】
消防用のホースは、取り扱い上その長さに制約があるため、使用時に必要な長さを得るには複数本のホースを接続する必要があり、この場合、ホースの接続にホース継手を用いることになる。
【０００３】
消防用ホースを互いに接続する継手としては、ねじ式ホース継手と差込み式ホース継手に大別されるが、後者の差込み式ホース継手は、筒状の受け金具に設けたソケット部に筒状の差込み金具を挿入し、ソケット部と差込み金具の嵌合部分を係止爪で自動的に係止するようになっているので、ホースの接続及び分離がねじ式ホース継手よりも能率的に行えるという利点がある。
【０００４】
図６と図７は、従来の差込み式ホース継手１を示し、後端側がホース接続部分２で先端側が差込み部３となり、この差込み部３の外周に環状の係合溝４が設けられた円筒状の差込み部材５と、後端側がホース接続部分６で先端側に前記差込み部材５の先端側差込み部３を内部に挿入する内径のソケット部７が設けられた円筒状の受け部材８とからなり、前記ソケット部７の外周で軸心を挟む両側の位置に円筒体９が突設されている。
【０００５】
上記ソケット部７の円筒体９を突設した部分には半径方向の貫通孔１０が設けられ、この円筒体９の内部に、貫通孔１０からソケット部７の内側に対して出没可能となり、突出時に前記ソケット部７に挿入した差込み部材５の係合溝４に対して係合し、差込み部材５と受け部材８を抜止め状態に結合し、貫通孔１０内に没入した状態で係合溝４との係合を解く係止爪１１が組み込まれている。
【０００６】
前記係止爪１１には、円筒体９の内部に縮設したスプリング１２でソケット部７の内側に常時突出する方向の弾性が付勢され、この係止爪１１を没入状態にするため、係止爪１１に設けた軸１３の外端に結合した操作摘まみ１４が上記円筒体９の外端から外部に突出している。
【０００７】
ホースａとｂを接続する場合は、受け部材８のソケット部７に差込み部材５の差込み部３を挿入すればよく、差込み部３がソケット部７の内周に突出している係止爪１１を押し開き、差込み部３がソケット部７に納まると、係合溝４が係止爪１１に臨むことで係止爪１１は係合溝４に係合し、図６のように、受け部材８と差込み部材５が結合され、ホースａとｂの接続状態となる。
【０００８】
また、接続したホースａとｂを分離する場合は、図７のように、各円筒体９の外端に突出する操作摘まみ１４をスプリング１２に抗して外方に引っ張り、一体に移動する係止爪１１を貫通孔１０に没入させることで係合溝４との係合を解き、その後ソケット部７から差込み部材５を抜き取るようにする。
【発明の概要】
【発明が解決しようとする課題】
【０００９】
ところで、上記したような従来の差込み式ホース継手１は、ソケット部７の両側外部に、係止爪１１を収納する円筒体９と、その外端に係止爪１１を外方に引くための操作摘まみ１４が突出し、係止爪１１の係合溝４に対する係止と解除の操作を半径方向の外側から行う構造になっているので、ソケット部７における両側外方への突出量が多い構造となり、ホース継手１が径方向に嵩高いものとなり、その取り扱いや格納に不便である。
【００１０】
また、接続したホースａとｂを分離する場合、両側の操作摘まみ１４を両手で同時に引っ張って係止爪１１を係合溝４から引き離した状態で、受け部材８から差込み部材５を引き抜くようにしなければならないので、両側の操作摘まみ１４を引っ張るための作業と、受け部材８と差込み部材５を軸方向に引き離す作業が必要になり、このため接続したホースａとｂの分離に二人の作業者が必要になるという問題がある。
【００１１】
そこで、この発明の課題は、ソケット部における外径を嵩低くコンパクトにして取り扱いや格納に便利であるようにすると共に、接続したホースの分離が一人の作業者で行うことができるホース継手を提供することにある。
【課題を解決するための手段】
【００１２】
上記の課題を解決するため、この発明は、後端側がホース接続部分で先端側が差込み部となり、この差込み部の外周に環状の係合溝が設けられた円筒状の差込み部材と、後端側がホース接続部分で先端側に前記差込み部材の先端側差込み部を内部に挿入する内径のソケット部が設けられた円筒状の受け部材とからなり、前記受け部材のソケット部の外側に、内部が環状の空間となるケース部と、このケース部の内部に対して出没できるよう軸方向に移動可能となるよう外嵌する操作リングを設け、前記ケース部の内部に、前記ソケット部の外周に外接する内径を有する弧状となり、周方向の複数箇所で分割することにより、径方向に沿って集合と拡散の移動が可能となるよう収納され、スプリングによって常時集合する方向の弾性が付勢された複数の分割リングを組込み、前記分割リングに、前記ソケット部のケース部で覆われた部分に設けた半径方向の貫通孔に収まり、分割リングの集合状態でソケット部の内側に突出し、このソケット部に挿入した差込み部材の係合溝に対して抜止め状態に係合し、分割リングの拡散状態で貫通孔内に没入して係合溝との係合を解く係止爪を設け、前記分割リングの内周で操作リングに臨む側の位置に、ケース部の内部に押し込まれた操作リングによって、この分割リングを押し広げによる拡散状態にするための傾斜面を設けたものである。
【００１３】
ここで、受け部材に設けたソケット部は、円筒状となるホース接続部分の先端側に、このホース接続部分よりも大径となり、その内径が差込み部材の先端側差込み部が丁度嵌り合う先端が開放した円筒状に形成され、内端部の内周に、前記差込み部の先端が当接することにより嵌り合い部分の水密を保つシール部材が組み込まれ、このソケット部の長さ方向の中間で軸線を挟む両側の位置に半径方向の貫通孔が設けられている。
【００１４】
上記ソケット部の外側に設けたケース部は、断面コ字形の環状となり、上記貫通孔を設けた部分を覆うようにソケット部の外側に固定され、受け部材のホース接続部分側に位置する端壁の内周はソケット部の外周面との間に、操作リングが収まる環状隙間を形成している。
【００１５】
上記分割リングは、ソケット部の外径に一致する内径のリングを周方向に二分割することにより形成され、外周に巻付けたコイルスプリングによって常時集合する方向の弾性が付勢され、係止爪がソケット部の内部に突出しているので、このソケット部に差込み部材の差込み部を挿入すれば、この差込み部が係止爪を押し開いた後、係合溝が係止爪に臨むことで係合し、接続状態になると共に、操作リングを傾斜面に向けて押し込むことにより分割リングを拡散状態にすれば、係止爪は係合溝から外れ、受け部材と差込み部材を分離することができる。
【発明の効果】
【００１６】
この発明によると、係合溝に対する係止爪の離脱を、分割リングに設けた傾斜面とソケット部に外嵌した操作リングの軸方向への押し込みによって行うようにしたので、ソケット部の外側に設けたケース部は、分割リングの拡散状態を許容する突出量でよくなり、これにより、受け部材におけるソケット部の外径を嵩低くコンパクトにすることができ、ホース継手の取り扱いや格納に便利である。
【００１７】
また、係合溝に対する係止爪の離脱を、分割リングに設けた傾斜面とソケット部に外嵌した操作リングの軸方向への押し込みによって行うようにしたので、操作リングの軸方向への押し込みを片手で保持でき、もう片方の手で受け部材に対する差込み部材の引き抜きが行え、これにより、接続したホースの分離が一人の作業者で可能になる。
【図面の簡単な説明】
【００１８】
【図１】この発明に係るホース継手の要部を切り欠いた分解斜視図
【図２】この発明に係るホース継手のホース接続状態を示す一部切欠き正面図
【図３】この発明に係るホース継手のホース分離時の状態を示す要部を拡大した縦断正面図
【図４】図２の矢印IV−IVに沿った縦断側面図
【図５】図４と同じ位置において、係止爪が開いて差込み部材を引き抜いた状態を示す縦断面図
【図６】従来のホース継手のホース接続状態を示す一部切欠き正面図
【図７】従来のホース継手のホース分離時の状態を示す要部を拡大した縦断正面図
【発明を実施するための形態】
【００１９】
以下、この発明の実施の形態を図示例に基づいて説明する。
【００２０】
図１乃至図３のように、ホース継手２１は、円筒状の差込み部材２２と、先端部に前記差込み部材２２の先端側が嵌合する内径のソケット部２３を有する受け部材２４とからなり、前記差込み部材２２は、先端側が差込み部２５で後端側がホース接続部分２６となる円筒状となり、前記差込み部２５の先端寄り外周面に、環状の係合溝２７が設けられている。
【００２１】
上記受け部材２４は、ストレートの円筒となる後端側のホース接続部分２８と、このホース接続部分２８の先端側に設けられ、前記ホース接続部分２８よりも大径となり、その内径が差込み部材２２の先端側差込み部２５が丁度嵌り合う先端が開放した円筒状に形成されたソケット部２３とからなり、前記ソケット部２３の外側に、内部が環状の空間となるケース部２９と、このケース部２９に対してホース接続部分２８側の位置に、前記ケース部２９の内部に対して押し込めるよう軸方向への移動が可能に外嵌する操作リング３０を設け、前記ケース部２９の内部に、複数の分割リング３１が組込まれている。
【００２２】
上記ソケット部２３は、内端部の内周に、上記先端側差込み部２５の先端が当接することにより嵌り合い部分の水密を保つ環状のシール部材３２が組み込まれ、このソケット部２３の長さ方向の中間で軸線を挟む両側二箇所の位置に、周方向に長く半径方向に対して貫通する貫通孔３３が設けられ、この貫通孔３３は、図２のように、先端がシール部材３２に当接するよう差込んだ先端側差込み部２５の係合溝２７に対して外側に臨む位置関係に設けられている。
【００２３】
上記ケース部２９は、断面コ字形でソケット部２３の外周を囲む環状となり、上記貫通孔３３を設けた部分を含めてソケット部２３の外側を覆うように固定され、受け部材２４のホース接続部分２８側に位置する端壁２９ａの内周はソケット部２３の外周面との間に、操作リング３０が収まる環状隙間３４を形成している。
【００２４】
上記ケース部２９の内部に設けた分割リング３１は、ソケット部２３の外径に外接する内径のリングを周方向に二分割することにより、図４と図５のように、周方向の長さが半円よりも短い弧状に形成され、周方向の複数箇所で分割することにより、径方向に沿って集合と拡散の移動が可能となるよう収納され、両分割リング３１の内周面には、貫通孔３３に対してソケット部２３の半径方向に移動可能となるよう嵌り合う係止爪３５が設けられている。
【００２５】
上記分割リング３１は、その外周に緊張状態で巻き付けたコイルスプリング３６によって常時集合する方向の弾性が付勢され、図２と図４のように、その内径がソケット部２３の外径に外接する集合状態で、上記係止爪３５は先端側がソケット部２３の内側に所定量だけ突出し、先端側差込み部２５の係合溝２７に対して係合可能な状態になっている。
【００２６】
図１のように、先端側差込み部２５に設けた係合溝２７は、先端側差込み部２５の先端側に位置する部分が直角に凹入する係合壁２７ａとなり、この係合壁２７ａの内端から後方へ弧状となって浅くなる断面形状に形成され、また、係止爪３５において、ソケット部２３の内側に突出する先端側は、前記係合溝２７の断面形状に合わせ、ホース接続部分２８側に臨む面がソケット部２３の半径方向に沿う係合面３５ａとなり、この係止爪３５の先端はソケット部２３の先端側に向けて外方への下がり傾斜となる弧状面３５ｂになっている。
【００２７】
係合溝２７と係止爪３５の形状を上記のように設定すると、係止爪３５に先端側差込み部２５を挿入したとき、弧状面３５ｂによって先端側差込み部２５で係止爪３５を確実に押し広げることができ、係止爪３５と係合溝２７の結合が得られると共に、係止爪３５の係合面３５ａと係合溝２７の係合壁２７ａが、差込み部材２２と受け部材２４の抜け止め方向に係合し、差込み部材２２と受け部材２４の接続状態を保持することができる。
【００２８】
上記操作リング３０は、ソケット部２３の外側に軸方向への移動が自在となるよう外嵌した円筒状となり、ケース部２９と反対側の後端部外周面に操作用の環状鍔３０ａが設けられ、ソケット部２３の外側端部に嵌め込んだストッパーリング３７によって、先端がケース部２９の環状隙間３４に納まる状態で後方への抜け止め状態になっている。
【００２９】
上記分割リング３１の内周で操作リング３０に臨む側の位置に、ケース部２９の内部に押し込まれた操作リング３０によって、この分割リング３１を押し広げによる拡散状態にするための傾斜面３８が形成されている。
【００３０】
この発明のホース継手２１は、上記のような構成であり、差込み部材２２の後端側に形成したホース接続部分２６に一方消防用ホースａの端部を接続し、受け部材２４の後端側に形成したホース接続部分２８に他方消防用ホースｂの端部を接続しておく。
【００３１】
上記受け部材２４の分割リング３１は、コイルスプリング３６の締め付け力によって径方向に沿って集合し、内周がソケット部２３の外周に接合することにより、係止爪３５はその先端がソケット部２３の軸線を挟む両側二箇所の位置で内方に突出している。
【００３２】
両ホースａとｂを接続するには、受け部材２４のソケット部２３に差込み部材２２の先端側差込み部２５を奥まで挿入すればよく、この差込み部２５が係止爪３５を押し開いたのち係合溝２７が係止爪３５に臨み、係止爪３５はコイルスプリング３６の復帰弾性によってソケット部２３の内方に突出し、係合溝２７が係止爪３５に係合することで、図２のように、差込み部材２２と受け部材２４が抜け止め状態に結合され、両ホースａとｂの接続状態になり、差込み部２５の先端がソケット部２３の内部に組み込んだシール部材３２に圧接し、接続部分の水密を保つことになる。
【００３３】
次に、両消防用ホースａとｂの接続を解く場合は、操作リング３０をケース部２９内に向けて軸方向に押し込めばよく、図３のように、操作リング３０の先端が分割リング３１の傾斜面３８に対して進入することで、分割リング３１はコイルスプリング３６の弾性に抗して径方向外側に押し広げられ、拡散状態となる。
【００３４】
この分割リング３１の内面に固定した係止爪３５は、分割リング３１と一体に拡散移動することで、図３と図５で示したように、貫通孔３３内に没入して係合溝２７から先端が抜け出た状態となり、係止爪３５と係合溝２７の係合が解けるので、差込み部材２２と受け部材２４を引き離すようにすればよく、差込み部材２２がソケット部２３内から抜けることで両消防用ホースａとｂの接続が解かれることになる。
【００３５】
上記した両消防用ホースａとｂの接続を解く場合において、ケース部２９内に向けて軸方向に押し込んだ操作リング３０は、ソケット部２３の外側を握る片方の手で押し込み状態を保持することができ、従って、差込み部材２２をソケット部２３内から抜く作業はもう片方の手で行うことができ、従って、両消防用ホースａとｂの接続解除が一人で行なえることになる。
【００３６】
また、この発明のホース継手２１は、操作リング３０の軸方向への押し込みによって、差込み部材２２と受け部材２４の分離を行うようにしたので、ソケット部２３の外側に設けたケース部２９の外方への突出高さは、分割リング３１の拡散状態を許容する突出量でよくなり、これにより、受け部材２４におけるソケット部２３の外径を嵩低くコンパクトにすることができ、ホース継手２１の取り扱いや格納に便利である。
【符号の説明】
【００３７】
２１          ホース継手
２２          差込み部材
２３          ソケット部
２４          受け部材
２５          差込み部
２６          ホース接続部分
２７          係合溝
２８          ホース接続部分
２９          ケース部
３０          操作リング
３１          分割リング
３２          シール部材
３３          貫通孔
３４          環状隙間
３５          係止爪
３６          コイルスプリング
３７          ストッパーリング
３８          傾斜面
【図１】
0005393513.tif 000002
【図２】
0005393513.tif 000003
【図３】
0005393513.tif 000004
【図４】
0005393513.tif 000005
【図５】
0005393513.tif 000006
【図６】
0005393513.tif 000007
【図７】
0005393513.tif 000008